(57)【特許請求の範囲】
【請求項１】
電動工具の電源として使用される工具用バッテリと、
前記工具用バッテリが収納されるケース部と、機器本体部とからなる前記電動工具以外の電気機器とを有し、
前記ケース部は、前記機器本体部の背面、あるいは側面に設けられており、
前記ケース部内には、前記工具用バッテリが電気的に接続、あるいは接続解除可能に構成された前記機器本体部の電源端子が設けられており、
前記ケース部は、バッテリ挿入口を備える開放容器状に形成されており、前記機器本体部の背面より張り出すように位置することで前記機器本体部を支えるとともに、前記ケース部が前記機器本体部を支えている際に、前記バッテリ挿入口が前記機器本体部の背面に沿う方向に開放されるように構成されており、
前記工具用バッテリは、該工具用バッテリの一端部に設けられ前記バッテリ挿入口からケース部内に挿入される挿入部と、前記工具用バッテリの他端部に設けられ前記バッテリ挿入口を塞ぐ蓋部と、を備えていることを特徴とする電気機器システム。
【請求項２】
請求項１に記載された電気機器システムであって、
前記ケース部と機器本体部とは別体であり、連結機構を介して連結されていることを特徴とする電気機器システム。
【請求項３】
請求項２に記載された電気機器システムであって、
前記機器本体部は、記憶媒体に記憶されているデータを再生する装置で、背面に前記記憶媒体の挿入部が設けられており、
前記ケース部は、前記連結機構により前記機器本体部に対して回動可能な状態で連結されていることを特徴とする電気機器システム。
【請求項４】
請求項３に記載された電気機器システムであって、
前記ケース部と前記機器本体部間には、前記ケース部が機器本体部の所定位置にあるときに、その機器本体部に対する前記ケース部の回動をロックする回動ロック機構が設けられていることを特徴とする電気機器システム。
【請求項５】
請求項２から請求項４のいずれかに記載された電気機器システムであって、
前記機器本体部は画像表示装置であり、前記ケース部は前記機器本体部の画面を傾斜させた状態で支持できるように構成されていることを特徴とする電気機器システム。
【請求項６】
請求項２から請求項５のいずれかに記載された電気機器システムであって、
前記ケース部と機器本体部とを連結する連結機構は、前記ケース部と機器本体部とのいずれか一方に設けられ、電源供給端子と回動中心部とを兼用する丸型ピンと、前記ケース部と機器本体部とのいずれか他方に設けられ、前記丸型ピンが嵌合する円形凹部とから構成されていることを特徴とする電気機器システム。
【請求項７】
請求項１から請求項６のいずれかに記載された電気機器システムであって、
前記ケース部は、前記工具用バッテリの蓋部に設けられ前記ケース部に設けられた鉤受け部と係合、あるいは係合解除可能に構成された鉤部を備えており、
前記ケース部のバッテリ挿入口には、前記ケース部と前記工具用バッテリの蓋部間をシールするシール材が設けられていることを特徴とする電気機器システム。
【請求項８】
請求項６に記載された電気機器システムであって、
前記丸型ピンが嵌合する円形凹部の開口縁には、前記丸型ピンと円形凹部間をシールするシール材が設けられていることを特徴とする電気機器システム。
【発明の詳細な説明】
【技術分野】
【０００１】
本発明は、電動工具以外の電気機器と、電動工具の電源として使用される工具用バッテリとを備える電気機器システムに関する。
【背景技術】
【０００２】
特許文献１には、交流電源と直流電源（バッテリ電源）のいずれの電源でも使用できる耐衝撃性のオーディオ装置が開示されている。このオーディオ装置は角形のハウジングを備えており、このハウジングの内部にオーディオ本体、電源装置、及びバッテリ等、全てが収納されるように構成されている。また、ハウジングは、前後、左右及び上下から角枠状に組まれたロッドによって囲まれており、外部からの衝撃を前記ロッドで受けられるように構成されている。さらに、角枠状に組まれたロッドの働きでオーディオ装置を安定した状態で設置面上に支持できるようになる。
【先行技術文献】
【特許文献】
【０００３】
【特許文献１】特表２００７−５１１９３１号公報
【発明の概要】
【発明が解決しようとする課題】
【０００４】
しかし、上記したオーディオ装置では、前記ハウジングの内部にオーディオ本体、電源装置、及びバッテリ等の全てが収納される構成のため、大型のハウジングが必要とされる。さらに前記ハウジングの周囲が角枠状に組まれたロッドによって囲まれる構成である。このため、オーディオ装置が大型化する。
【０００５】
本発明は、上記問題点を解決するためになされたものであり、本発明が解決しようとする課題は、工具用バッテリの収納部分が電気機器を支えるスタンド、あるいは電気機器の倒れ防止を図るストッパとして使用できるようにすることで、電気機器システムが大型化しないようにすることである。
【課題を解決するための手段】
【０００６】
上記した課題は、各請求項の発明によって解決される。
請求項１の発明は、電動工具の電源として使用される工具用バッテリと、前記工具用バッテリが収納されるケース部と、機器本体部とからなる前記電動工具以外の電気機器とを有し、前記ケース部は、前記機器本体部の背面、あるいは側面に設けられており、前記ケース部内には、前記工具用バッテリが電気的に接続、あるいは接続解除可能に構成された前記機器本体部の電源端子が設けられており、前記ケース部は、バッテリ挿入口を備える開放容器状に形成されており、前記機器本体部の背面より張り出すように位置することで前記機器本体部を支えるとともに、前記ケース部が前記機器本体部を支えている際に、前記バッテリ挿入口が前記機器本体部の背面に沿う方向に開放されるように構成されており、前記工具用バッテリは、該工具用バッテリの一端部に設けられ前記バッテリ挿入口からケース部内に挿入される挿入部と、前記工具用バッテリの他端部に設けられ前記バッテリ挿入口を塞ぐ蓋部と、を備えていることを特徴とする。
【０００７】
本発明によると、工具用バッテリが収納されるケース部には、その工具用バッテリが電気的に接続、あるいは接続解除可能に構成された機器本体部の端子部が設けられている。このため、工具用バッテリをケース部に収納することで、工具用バッテリを機器本体部と電気的、機械的に連結できるようになる。即ち、工具用バッテリを電動工具以外の電気機器の電源として使用できるようになる。
また、工具用バッテリを収納するケース部は、機器本体部の背面、あるいは側面に設けられているため、そのケース部が機器本体部を支えるスタンド、あるいは機器本体部の倒れ防止を図るストッパとして使用できるようになる。このため、従来のように、ハウジングの周囲を角枠状に組まれたロッド等によって支える構成と比べて、前記機器本体部の支持機構が大掛かりにならず、電気機器システムが大型化しない。
【０００８】
請求項２の発明によると、ケース部と機器本体部とは別体であり、連結機構を介して連結されていることを特徴とする。
請求項３の発明によると、機器本体部は、記憶媒体に記憶されているデータを再生する装置で、背面に前記記憶媒体の挿入部が設けられており、ケース部は、前記連結機構により前記機器本体部に対して回動可能な状態で連結されている。
このため、機器本体部とケース部とが挿入部の位置で前後に重なっていても、記憶媒体を挿入部に出し入れする際にケース部を機器本体部に対して回動させておくことで、そのケース部が記憶媒体の出し入れ操作の邪魔にならない。
【０００９】
請求項４の発明によると、ケース部と機器本体部間には、前記ケース部が機器本体部の所定位置にあるときに、その機器本体部に対する前記ケース部の回動をロックする回動ロック機構が設けられていることを特徴とする。
このため、ロック状態でケース部が所定位置から動くことがなく、機器本体部を安定的に支持できるようになる。
請求項５の発明によると、機器本体部は画像表示装置であり、ケース部は前記機器本体部の画面を傾斜させた状態で支持できるように構成されていること  を特徴とする。
このため、画像表示装置の画面が見易くなる。
【００１０】
請求項６の発明によると、ケース部と機器本体部とを連結する連結機構は、前記ケース部と機器本体部とのいずれか一方に設けられ、電源供給端子と回動中心部とを兼用する丸型ピンと、前記ケース部と機器本体部とのいずれか他方に設けられ、前記丸型ピンが嵌合する円形凹部とから構成されていることを特徴とする。
このように、丸型ピンが電源供給端子と回動中心部とを兼用しているため、連結機構の位置に電源線等を通す必要がなくなり、電源線の断線対策等が不要になる。
【００１１】
請求項７の発明によると、ケース部は、工具用バッテリの蓋部に設けられ、前記ケース部に設けられた鉤受け部と係合、あるいは係合解除可能に構成された鉤部を備えており、前記ケース部のバッテリ挿入口には、前記ケース部と前記工具用バッテリの蓋部間をシールするシール材が設けられていることを特徴とする。
このため、ケース部の防水性が向上する。
【００１２】
請求項８の発明によると、丸型ピンが嵌合する円形凹部の開口縁には、前記丸型ピンと円形凹部間をシールするシール材が設けられていることを特徴とする。
【発明の効果】
【００１３】
本発明によると、工具用バッテリのケース部が電気機器を支えるスタンド、あるいは電気機器の倒れ防止を図るストッパとして使用できるようになり、電気機器システムが大型化しない。
【図面の簡単な説明】
【００１４】
【図１】本発明の実施形態１に係る電気機器システムを構成する携帯用テレビの正面図（Ａ図）、側面図（Ｂ図、Ｃ図）である。
【図２】前記携帯用テレビの背面図（Ａ図、Ｂ図）である。
【図３】前記携帯用テレビの背面斜視図である。
【図４】前記携帯用テレビの側面図（Ａ図）、及び回動ロック機構を表す側面図（Ｂ図）、平断面図（Ｃ図）である。
【図５】前記携帯用テレビの連結機構の変更例を表す斜視図（Ａ図、Ｂ図）、及び連結機構の平断面図（Ｃ図）である。
【図６】変更例に係る携帯用テレビの斜視図（Ａ図、Ｂ図）である。
【図７】変更例に係る携帯用テレビの側面図である。
【図８】変更例に係る電気機器（ラジオ）を使用した電気機器システムの斜視図（Ａ図、Ｂ図）である。
【発明を実施するための形態】
【００１５】
［実施形態１］
以下、図１から図８に基づいて本発明の実施形態１に係る電気機器ユニットについて説明する。本実施形態に係る電気機器ユニットは、電動工具以外の電気機器と、前記電動工具の電源として使用される工具用バッテリとからなるユニットである。ここで、図１〜図７には、電動工具以外の電気機器として携帯用テレビを例示しており、図８には、前記電気機器としてラジオを例示している。
なお、図中に記載された前後左右及び上下は、電気機器（携帯用テレビ）の前後左右及び上下に対応している。
携帯用テレビユニット１０は、図１〜図４に示す携帯用テレビ２０と工具用バッテリ３０とから構成されている。
【００１６】
＜携帯用テレビ２０について＞
携帯用テレビ２０は、ＤＶＤプレーヤ内蔵式のテレビであり、テレビ本体２１と、バッテリケース部２４と、両者２１，２４を相対回動可能に連結する連結機構２８と、回動ロック機構２９とから構成されている。
テレビ本体２１は、薄い角形のハウジング２２を備えており、そのハウジング２２の表面中央に、図１（Ａ）等に示すように、画像表示部２２ｅが設けられている。また、ハウジング２２の表面には、画像表示部２２ｅの左右に電源スイッチＳＷ、操作パネルＰ等が設けられている。さらに、ハウジング２２の背面中央には、図２に示すように、ＤＶＤディスク等の記録媒体を挿入するための挿入部２２ｈが設けされている。
【００１７】
＜携帯用テレビ２０のバッテリケース部２４について＞
携帯用テレビ２０のバッテリケース部２４は、図３に示すように、工具用バッテリ３０を収納できるように構成された角筒状のケースである。バッテリケース部２４は、連結機構２８（後記する）の働きにより、テレビ本体２１に対して、そのテレビ本体２１の背面に沿う方向と、その背面に直角な方向とに相対回動できるように構成されている。そして、前記バッテリケース部２４が、図２（Ａ）に示すように、横向き位置にある状態で、テレビ本体２１はそのバッテリケース部２４によって裏側から支えられる。また、バッテリケース部２４が、図２（Ｂ）に示すように、縦向き位置にある状態で、そのバッテリケース部２４はテレビ本体２１の背面の挿入部２２ｈから離れるようになる。
バッテリケース部２４は、横向き位置にあるときの側面形状が、図１（Ａ）（Ｂ）等に示すように、略台形状に形成されており、そのバッテリケース部２４の傾斜側面２４ｋによりテレビ本体２１を傾斜状態で支えることができるように構成されている。
【００１８】
バッテリケース部２４は、図３に示すように、バッテリ挿入口２５ｈを備えるケース本体２５と、ケース本体２５のバッテリ挿入口２５ｈを開閉するキャップ状の蓋部２６とから構成されている。蓋部２６は、図３に示すバッテリ挿入口２５ｈの上辺に設けられたヒンジ機構２４ｚによって上下回動可能な状態でケース本体２５に連結されている。このため、バッテリケース部２４が横向き位置にある状態で、蓋部２６を上方に回動させることにより、ケース本体２５のバッテリ挿入口２５ｈを開放できるようになる。また、ケース本体２５のバッテリ挿入口２５ｈには、蓋部２６によりバッテリ挿入口２５ｈを閉じた状態で、その蓋部２６とケース本体２５との合わせ目をシールするシール材（図示省略）が装着されている。
また、ケース本体２５の天井部分には、図３に示すように、工具用バッテリ３０がケース本体２５に挿入される過程で、その工具用バッテリ３０の端子部３５が連結されるバッテリ連結部２５ｅが設けられている。バッテリ連結部２５ｅは、テレビ本体２１の電源端子（図示省略）を備えており、工具用バッテリ３０の端子部３５が連結されることで、その工具用バッテリ３０の端子部３５とテレビ本体２１の電源端子とが電気的に接続されるようになる。
【００１９】
＜携帯用テレビ２０の連結機構２８について＞
連結機構２８は、図３等に示すように、ケース本体２５の底側（奥側）下角部と、テレビ本体２１の背面の右下角部とを連結する機構である。連結機構２８は、図１（Ａ）〜（Ｃ）に示すテレビ側突出軸部２８ｘと、図３に示すケース側突出軸部２８ｙと、それらの突出軸２８ｘ，２８ｙを回動可能に支持する軸受部２８０とから構成されている。テレビ側突出軸部２８ｘは、テレビ本体２１の右下角部において水平右方向に突出するように構成されており、軸受部２８０の第一軸受２８１によって支持されている。ケース側突出軸部２８ｙは、ケース本体２５の底側（奥側）下角部において水平前方に突出するように構成されており、軸受部２８０の第一軸受２８１と直角に形成された第二軸受２８２によって支持されている。
これにより、テレビ本体２１は、テレビ側突出軸部２８ｘを中心に回動可能になり、画像表示部２２ｅ（画面）の傾きを変えることができるようになる。また、バッテリケース部２４は、ケース側突出軸部２８ｙを中心に、図２（Ａ）（Ｂ）に示すように、横向き位置と縦向き位置間で回動が可能になる。
【００２０】
＜携帯用テレビ２０の回動ロック機構２９について＞
回動ロック機構２９は、バッテリケース部２４が横向き位置にある状態で、テレビ本体２１に対するバッテリケース部２４の回動を禁止する機構である。回動ロック機構２９は、図４（Ａ）〜（Ｃ）に示すように、バッテリケース部２４の蓋部２６に設けられたロック機構本体部２９０とテレビ本体２１の背面に形成されたロック受け凹部２９ｕとから構成されている。
ロック機構本体部２９０は、ロックピン２９１と、そのロックピン２９１を軸方向にスライド可能の状態で収納するガイド穴２９３と、前記ロックピン２９１をガイド穴２９３から押出す（前方に押圧する）方向に付勢されたバネ材２９５とから構成されている。
【００２１】
ガイド穴２９３は、バッテリケース部２４の蓋部２６における底板２６ｂの内側で前後方向に延びるように形成されており、図４（Ｂ）に示すように、その蓋部２６の前面側にロックピン２９１の先端部が突出するように構成された前面開口２９３ｘが設けられている。また、ガイド穴２９３の側面には、ロックピン２９１の操作レバー２９１ｔが突出するスリット状開口２９３ｙが設けられている。前記スリット状開口２９３ｙは、バッテリケース部２４の蓋部２６における底板２６ｂの位置に前後方向に延びるように形成されている。
ロックピン２９１は、ガイド穴２９３の長さ（深さ）寸法とほぼ等しい長さ寸法で形成されており、先端部がガイド穴２９３の前面開口２９３ｘから突出可能な寸法で形成されている。また、ロックピン２９１から横方向（左方向）に突出する操作レバー２９１ｔの幅寸法がガイド穴２９３のスリット状開口２９３ｙの長さ寸法よりも十分小さく設定されている。
【００２２】
これにより、ロックピン２９１は、操作レバー２９１ｔがスリット状開口２９３ｙ内を前後移動できる寸法分だけ、ガイド穴２９３に沿って前後移動できるようになる。前述のように、ロックピン２９１は、バネ材２９５により前方の押圧力を受けているため、そのロックピン２９１の操作レバー２９１ｔは通常はスリット状開口２９３ｙ内の前端位置にあり、そのロックピン２９１の先端部はガイド穴２９３の前面開口２９３ｘから一定寸法突出している。
なお、この状態から操作レバー２９１ｔをバネ材２９５の力に抗して後方に押圧することで、ロックピン２９１の先端部をガイド穴２９３内に収納することが可能になる。即ち、回動ロック機構２９のロック状態が解除される。
上記構成により、バッテリケース部２４が横向き位置にある状態で、図４（Ｂ）（Ｃ）に示すように、ロック機構本体部２９０のロックピン２９１の先端部がテレビ本体２１の背面に形成されたロック受け凹部２９ｕと嵌合することで、テレビ本体２１に対するバッテリケース部２４の縦向き位置方向への回動が禁止される。また、操作レバー２９１ｔを後方に押圧することで、ロック状態を解除できる。
【００２３】
＜本実施形態に係る携帯用テレビユニット１０の取扱いについて＞
本実施形態に係る携帯用テレビユニット１０でＤＶＤディスクに記憶された映画等を鑑賞する場合には、先ず、図３に示すように、横向き位置にあるバッテリケース部２４に工具用バッテリ３０を収納する。即ち、バッテリケース部２４の蓋部２６を開放し、工具用バッテリ３０の端子部３５をバッテリケース部２４のケース本体２５のバッテリ連結部２５ｅに嵌合させて、その工具用バッテリ３０をケース本体２５内に挿入する。これにより、工具用バッテリ３０の端子部３５とケース本体２５のバッテリ連結部２５ｅとが電気的、機械的に連結され、テレビ本体２１に対して電源供給が可能になる。次に、バッテリケース部２４の蓋部２６を閉じ、回動ロック機構２９のロック状態を解除した状態で、図２（Ｂ）に示すように、バッテリケース部２４を縦向き位置まで回動させる。この状態で、テレビ本体２１の背面に形成された挿入部２２ｈを開き、ＤＶＤディスクを挿入する。次に、バッテリケース部２４を縦向き位置から再び横向き位置まで回動させ、テレビ本体２１を後方に傾けて、回動ロック機構２９のロックピン２９１の先端部をテレビ本体２１の背面のロック受け凹部２９ｕに嵌合させる。これにより、回動ロック機構２９はロック状態になり、テレビ本体２１に対するバッテリケース部２４の縦向き位置方向の回動が禁止される。この状態で、テレビ本体２１の操作パネルＰ等を操作して映画等を鑑賞することができるようになる。
即ち、バッテリケース部２４がテレビ本体２１を支えるスタンド、あるいはテレビ本体２１の倒れ防止を図るストッパとして使用できるようになる。
【００２４】
＜本実施形態に係る携帯用テレビユニット１０の長所について＞
本実施形態に係る携帯用テレビユニット１０によると、工具用バッテリ３０が収納されるバッテリケース部２４には、その工具用バッテリ３０が電気的に接続、あるいは接続解除可能に構成されたテレビ本体２１の電源端子が設けられている。このため、工具用バッテリ３０をバッテリケース部２４に収納することで、工具用バッテリ３０をテレビ本体２１と電気的、機械的に連結できるようになる。即ち、工具用バッテリ３０をテレビ本体２１（電動工具以外の電気機器）の電源として使用できるようになる。
また、工具用バッテリ３０を収納するバッテリケース部２４がテレビ本体２１の背面に設けられているため、そのバッテリケース部２４がテレビ本体２１を支えるスタンド、あるいはテレビ本体２１の倒れ防止を図るストッパとして使用できるようになる。このため、従来のように、ハウジングの周囲を角枠状に組まれたロッド等によって支える構成と比べて、テレビ本体２１の支持機構が大掛かりにならず、携帯用テレビユニット１０が大型化しない。
【００２５】
また、ＤＶＤディスクを挿入部２２ｈに出し入れする際に、バッテリケース部２４を縦向き位置まで回動させておくことができるため、そのバッテリケース部２４がＤＶＤディスクの出し入れ操作の邪魔にならない。
また、回動ロック機構２９のロック状態でバッテリケース部２４が横向き位置（テレビ本体２１の支持位置）から縦向き位置方向に動くことがないため、テレビ本体２１を安定的に支持できる。
また、バッテリケース部２４はテレビ本体２１の画像表示部２２ｅ（画面）を傾斜させた状態で支持できるように構成されているため、テレビ本体２１の画面が見易くなる。
また、バッテリケース部２４は、蓋部２６が閉じられたときに、ケース本体２５と蓋部２６との合わせ目をシールするシール材とを備えているため、バッテリケース部２４の防水性が向上する。
【００２６】
＜変更例＞
ここで、本発明は上記実施形態に限定されるものではなく、本発明の要旨を逸脱しない範囲における変更が可能である。例えば、本実施形態では、連結機構２８をテレビ側突出軸部２８ｘ、ケース側突出軸部２８ｙ、及び軸受部２８０から構成し、バッテリケース部２４を横向き位置と縦向き位置間で回動可能にし、さらにテレビ本体２１の前後の傾斜を変更可能にする例を示した。しかし、図５（Ａ）に示すように、バッテリケース部２４にケース側突出軸部２８ｙを設け、テレビ本体２１の背面にケース側突出軸部２８ｙが挿入される軸受部２８ｊを設けて、バッテリケース部２４とテレビ本体２１とを直接的に連結することも可能である。この場合、バッテリケース部２４のケース側突出軸部２８ｙを、図５（Ｃ）に示すように、円筒形のマイナス雄端子Ｎ１と中心軸状のプラス雄端子Ｐ１とからなる丸型ピン状に形成するのが好ましい。また、テレビ本体２１の軸受部２８ｊをケース側突出軸部２８ｙのマイナス雄端子Ｎ１が挿入されるマイナス雌端子Ｎ０と、ケース側突出軸部２８ｙのプラス雄端子Ｐ１が挿入されるプラス雌端子Ｐ０とからなる円形凹部状に構成するのが好ましい。これにより、バッテリケース部２４のケース側突出軸部２８ｙとテレビ本体２１の軸受部２８ｊとが、電源供給端子と連結機構とを兼用するようになる。これにより、連結機構２８の位置に電源線等を通す必要がなくなり、電源線の断線対策等が不要になる。
また、テレビ本体２１の軸受部２８ｊの開口周縁には、その軸受部２８ｊとケース側突出軸部２８ｙとの間をシールするとともに、バッテリケース部２４とテレビ本体２１の背面間をシールするシール材Ｒが設けられている。これにより、テレビ本体２１とバッテリケース部２４間の連結部分の防水性を確保できる。
【００２７】
また、本実施形態では、図３に示すように、バッテリケース部２４をテレビ本体２１の背面に沿って横向き位置と縦向き位置間で回動可能に構成し、バッテリケース部２４が横向き位置にある状態で工具用バッテリ３０の端子部３５をケース本体２５の天井部分のバッテリ連結部２５ｅに対して連結させる例を示した。しかし、図６（Ａ）（Ｂ）に示す工具用バッテリ３７を使用し、この工具用バッテリ３７に合わせて小型のバッテリケース部４０を使用することも可能である。即ち、前記工具用バッテリ３７は、電動工具（図示省略）のグリップ部の被挿入穴に挿入される挿入部３７ｅと、前記グリップ部の被挿入穴の開口を塞ぐ蓋部３７ｋとから構成されており、その挿入部３７ｅの先端部分に電極（図示省略）が設けられている。
【００２８】
バッテリケース部４０は、工具用バッテリ３７の挿入部３７ｅが挿入されるバッテリ収納穴４３を備える略角筒状のケース本体４１と、そのケース本体４１のバッテリ収納穴４３を開閉するキャップ部４４とから構成されている。そして、ケース本体４１のバッテリ収納穴４３内に工具用バッテリ３７の挿入部３７ｅの電極が電気的に接続されるテレビ本体２１の電極が設けられている。これにより、工具用バッテリ３７の挿入部３７ｅがケース本体４１のバッテリ収納穴４３に挿入された状態で、工具用バッテリ３７とテレビ本体２１とが電気的に接続される。また、キャップ部４４がケース本体４１に収納された工具用バッテリ３７の蓋部３７ｋを覆えるように構成されている。ここで、ケース本体４１のバッテリ収納穴４３の周縁には、そのケース本体４１とキャップ部４４間をシールするシール材（図示省略）が設けられている。
バッテリケース部４０のケース本体４１には、キャップ部４４と反対側の位置にテレビ本体２１のテレビ側突出軸部２８ｘを回動可能に支持する軸受部４１ｊが設けられている。これにより、バッテリケース部４０はテレビ本体２１の右横位置で横向き位置から縦向き位置まで上下回動が可能になる。そして、バッテリケース部４０が、図７に示すように、横向き位置にある状態でそのバッテリケース部４０がテレビ本体２１を支持できるようになる。
【００２９】
また、本実施形態では、テレビ本体２１（機器本体部）とバッテリケース部４０とが連結機構２８によって連結される構成の携帯用テレビ２０（電気機器）を例示した。しかし、図８（Ａ）（Ｂ）に示す電気機器５０（ラジオ５０）のように、機器本体部５２（ラジオ本体５２）とバッテリケース部５５とを一体化することも可能である。
前記ラジオ５０は、図８（Ａ）（Ｂ）に示すように、ラジオ本体５２と、ラジオ本体５２の背面に形成されて、ラジオ本体５２を支えるバッテリケース部５５とから構成されている。バッテリケース部５５は横向きに形成されており、工具用バッテリ３７が挿入されるバッテリ挿入口５５ｈを備えている。そして、工具用バッテリ３７の挿入部３７ｅがバッテリケース部５５に挿入された状態で、バッテリ挿入口５５ｈが工具用バッテリ３７の蓋部３７ｋによって塞がれるように構成されている。ここで、バッテリケース部５５内には、工具用バッテリ３７の挿入部３７ｅの電極が電気的に接続されるラジオ本体５２の電極が設けられている。また、工具用バッテリ３７の蓋部３７ｋには、バッテリケース部５５に形成された鉤受け部５５ｚと係合、あるいは係合解除可能に構成された鉤部３７ｘが形成されている。
【００３０】
そして、工具用バッテリ３７の挿入部３７ｅがバッテリケース部５５に所定位置まで挿入されることで、その工具用バッテリ３７の鉤部３７ｘが弾性力でバッテリケース部５５の鉤受け部５５ｚに係合するように構成されている。この状態で、バッテリケース部５５に対する工具用バッテリ３７の抜け止めが図られるとともに、工具用バッテリ３７の電極とラジオ本体５２の電極とが電気的に接続される。これにより、ラジオ５０の使用が可能になる。
なお、工具用バッテリ３７の鉤部３７ｘを弾性力に抗して押し操作することで、工具用バッテリ３７の鉤部３７ｘをバッテリケース部５５の鉤受け部５５ｚから外すことが可能である。
さらに、バッテリケース部５５のバッテリ挿入口５５ｈには、シール材（図示省略）が装着されており、工具用バッテリ３７がバッテリケース部５５に連結された状態で、工具用バッテリ３７の蓋部３７ｋとバッテリケース部５５間をシールできるように構成されている。
【００３１】
上記したように、本実施形態では、電動工具以外の電気機器の例として携帯用テレビ２０、及びラジオ５０を示したが、これ以外の電気機器に対しても本発明を適用可能である。例えば、パソコン、ステレオ、ＤＶＤプレーヤ、ブルーレイプレーヤ等の画像表示装置、空気清浄機、扇風機等にも本発明を適用することが可能である。
【符号の説明】
【００３２】
２０・・・・携帯用テレビ（電気機器）
２１・・・・テレビ本体（機器本体部）
２２ｅ・・・画像表示部（画面）
２４・・・・バッテリケース部
２４ｋ・・・傾斜側面
２５・・・・ケース本体
２５ｈ・・・バッテリ挿入口
２６・・・・蓋部
２８・・・・連結機構
２９・・・・回動ロック機構
３０・・・・工具用バッテリ
３７・・・・工具用バッテリ
３７ｅ・・・挿入部
３７ｋ・・・蓋部
３７ｘ・・・鉤部
４０・・・・バッテリケース部
５０・・・・ラジオ（電気機器）
５５・・・・バッテリケース部
５５ｈ・・・バッテリ挿入口
５５ｚ・・・鉤受け部
Ｒ・・・・・シール材
【図１】
0005634740.tif 000002
【図２】
0005634740.tif 000003
【図３】
0005634740.tif 000004
【図４】
0005634740.tif 000005
【図５】
0005634740.tif 000006
【図６】
0005634740.tif 000007
【図７】
0005634740.tif 000008
【図８】
0005634740.tif 000009